(57)【要約】【課題】挿脱方向の長さが同等であって電極部の形状が異なる第１のカードと第２のカードを選択的に装着させることができと共に、両者の後端部の位置を一致させることができるカード用コネクタ及び電子機器を提供すること。【解決手段】スライダ３は、第２のカードが当接される先端当接部３８を有しており、第１のカードを装着する際に第１の装着位置に位置し、第２のカードを装着する際に第２のカードに押圧されて第２の装着位置に移動する。スライダ３には、第１のコンタクト５１及び第２のコンタクト５２が固定される。第１のコンタクト５１の第１接触端部５１ａは第１のカードの電極部に接触し、第２接触端部５１ｂはスライダ３が第１の装着位置にある場合に第１の導通用接点２１と接触する。第２のコンタクト５２の第１接触端部５２ａは第２のカードの電極部に接触し、第２接触端部５１ｂはスライダ３が第２の装着位置にある場合に第２の導通用接点２２と接触する。【選択図】図７
2009043496.tif 000002
【特許請求の範囲】
【請求項１】
電極部を有する第１のカードと、前記第１のカードの電極部とは異なる電極部を有すると共に挿脱方向の長さが前記第１のカードと同等或いは前記第１のカードよりも長い第２のカードを選択的に装着可能なカード用コネクタであって、
開口部を有し、前記第１のカードと前記第２のカードが選択的に挿入されるハウジングと、
前記ハウジング内に収容されると共に前記第２のカードが当接される当接部を有し、前記第１のカードを装着する際は第１の装着位置に位置すると共に、前記第２のカードを装着する際は該第２のカードに押圧されて第２の装着位置に移動するスライダと、
前記スライダに設けられると共に一端部が前記第１のカードの電極部に接触する第１のコンタクトと、
前記スライダに設けられると共に一端部が前記第２のカードの電極部に接触する第２のコンタクトと、
前記ハウジングに設けられ、前記スライダが前記第１の装着位置にある場合に前記第１のコンタクトの他端部と接触する第１の導通用接点と、
前記ハウジングに設けられ、前記スライダが前記第２の装着位置にある場合に前記第２のコンタクトの他端部と接触する第２の導通用接点と、
前記スライダを前記ハウジングの開口部側に付勢する付勢部材と、
前記スライダの前記開口部側への移動を、前記第１の装着位置及び前記第２の装着位置で固定するロック機構と、を備えたこと
を特徴とするカード用コネクタ。
【請求項２】
前記スライダの前記第１の装着位置から前記第２の装着位置までの移動距離は、装着が完了した状態の前記第１のカードの後端部の位置と前記第１の装着位置にある前記スライダの前記当接部に当接した前記第２のカードの後端部の位置との差と略同一であること
を特徴とする請求項１記載のカード用コネクタ。
【請求項３】
前記ロック機構は、前記ハウジングに設けられた撓み変形可能なロック片と、前記スライダに設けられると共に前記第１の装着位置で前記ロック片が係合される第１のロック用凹部と、前記スライダに設けられると共に前記第２の装着位置で前記ロック片が係合される第２のロック用凹部と、を備え、
前記ロック片は、前記第２のカードを挿脱する際に前記スライダに力が加えられることにより撓み変形し、前記第１のロック用凹部及び前記第２のロック用凹部との係合が外れること
を特徴とする請求項１記載のカード用コネクタ。
【請求項４】
前記ロック片は、前記スライダが前記第２の装着位置にあるとき、前記第２のロック用凹部と前記第２のカードの側部に設けられた凹部に係合されること
を特徴とする請求項２記載のカード用コネクタ。
【請求項５】
前記スライダの前記当接部には、前記第２のカードの先端部が当接されること
を特徴とする請求項１記載のカード用コネクタ。
【請求項６】
前記スライダは、前記第１のカードの先端部が係合する係合部を有すること
を特徴とする請求項１記載のカード用コネクタ。
【請求項７】
カード出し入れ口が設けられた外装ケースと、
前記外装ケースの内部に前記カード出し入れ口に対応して配置され、電極部を有する第１のカードと、前記第１のカードの電極部とは異なる電極部を有すると共に挿脱方向の長さが前記第１のカードと同等或いは前記第１のカードよりも長い第２のカードを選択的に装着可能なカード用コネクタと、を備え、
前記カード用コネクタは、
前記カード出し入れ口に臨む開口部を有し、前記第１のカードと前記第２のカードが選択的に挿入されるハウジングと、
前記ハウジング内に収容されると共に前記第２のカードが当接される当接部を有し、前記第１のカードを装着する際は第１の装着位置に位置すると共に、前記第２のカードを装着する際は該第２のカードに押圧されて第２の装着位置に移動するスライダと、
前記スライダに設けられると共に一端部が前記第１のカードの電極部に接触する第１のコンタクトと、
前記スライダに設けられると共に一端部が前記第２のカードの電極部に接触する第２のコンタクトと、
前記ハウジングに設けられ、前記スライダが前記第１の装着位置にある場合に前記第１のコンタクトの他端部と接触する第１の導通用接点と、
前記ハウジングに設けられ、前記スライダが前記第２の装着位置にある場合に前記第２のコンタクトの他端部と接触する第２の導通用接点と、
前記スライダを前記ハウジングの開口部側に付勢する付勢部材と、
前記スライダの前記開口部側への移動を、前記第１の装着位置及び前記第２の装着位置で固定するロック機構と、を有すること
を特徴とする電子機器。
【発明の詳細な説明】
【技術分野】
【０００１】
本発明は、規格の異なる第１のカードと第２のカードを選択的に装着可能なカード用コネクタ及びそのカード用コネクタを備えた電子機器に関するものである。
【背景技術】
【０００２】
デジタルカメラや携帯電話端末等の電子機器には、記録媒体としてカード型記録媒体（以下、単に「カード」という。）が用いられている。この種のカードは、電子機器に設けられたカード用コネクタに着脱自在に装着される。カード用コネクタは、装着されるカードの電極部が接続されるコンタクトを有しており、このコンタクトを介してカードとカード用コネクタが電気的に接続される。
【０００３】
一方、近年のカードは、規格や種類の違いによって外形寸法や形状、電極部の形状等が異なっている。したがって、一般的なカード用コネクタは、1つの規格（種類）のカードに対応した構成となっている。そのため、例えば、１つの電子機器で規格の異なる複数のカードを使用可能にするには、各規格にそれぞれ対応した複数のカード用コネクタを設ける必要があった。
【０００４】
ところが、１つの電子機器に複数のカード用コネクタを設けると、電子機器の大型化を招くばかりでなく、装着したいカードをそれに対応していないカード用コネクタに間違って挿入してしまうという心配があった。そこで、複数の規格のカードに対応して、それらカードを選択的に装着することができるカード用コネクタが考えられている。
【０００５】
規格（種類）の異なるカードを選択的に装着可能なカード用コネクタとしては、例えば、特許文献１に記載されているようなものがある。特許文献１には、多機能化に伴うカードの長寸化に対応したカード用コネクタ装置に関するものが記載されている。この特許文献１に記載されたカード用コネクタ装置には、電極部（外部接続端子）の形状が同じであって挿脱方向の長さが異なる２種類のカードが選択的に装着される構成となっている。
【０００６】
この種のカード用コネクタの他の例としては、例えば、特許文献２に記載されているようなものもある。特許文献２には、サイズの異なる２種類のカードに共用できるカードコネクタに関するものが記載されている。この特許文献２に記載されたカードコネクタには、挿脱方向の長さ及び電極部の形状が異なる２種類のカードが選択的に装着される。そのため、特許文献２に記載されたカードコネクタは、挿脱方向の長さが短いカードの電極部に接触する第１コンタクトと、挿脱方向の長さが長いカードの電極部に接触する第２コンタクトを有する構成となっている。
【０００７】
また、この種のカード用コネクタの他の例としては、例えば、特許文献３に記載されているようなものもある。特許文献３には、規格の異なる複数種類のＩＣカードを、同一のコネクタでプッシュ・イン、プッシュ・アウトの可能なＩＣカード用コネクタに関するものが記載されている。この特許文献３に記載されたＩＣカード用コネクタには、挿脱方向の長さ及び電極部の形状が同じであって厚みの異なる第１のＩＣカード及び第２のＩＣカードと、第１及び第２のＩＣカードとは挿脱方向の長さ及び電極部の形状が異なる第３のＩＣカードが選択的に装着される。この特許文献３に記載されたＩＣカード用コネクタは、第１及び第２のＩＣカードの電極部に接触する第１コンタクトと、第３のＩＣカードの電極部に接触する第２コンタクトを有する構成となっている。
【特許文献１】特開２００３−３１２８５号公報
【特許文献２】特開２００６−１０７９０２号公報
【特許文献３】特開２００３−３１７８６１号公報
【発明の開示】
【発明が解決しようとする課題】
【０００８】
しかしながら、特許文献１に記載されたカード用コネクタ装置は、短寸のカードと長寸のカードが同じ規格であることから、両者の電極部の形状が同じであり、両者の電極部に共通して接続される１つのコンタクトを有する構成となっていた。そのため、規格が異なり電極部の形状が異なる２種類のカードを選択的に装着させることはできなかった。
【０００９】
また、特許文献２に記載されたカードコネクタでは、挿脱方向の長さが異なる２種類のカードのそれぞれの装着状態において、両者の後端部の位置が略一致するようになっている。なお、カードコネクタに最初に挿入される側の端部を先端部とし、その先端部と対向する端部を後端部とする。カードに設けられる電極部の位置は、一般的にカードの平面部であって先端側に配置されている。そのため、挿脱方向の長さが異なる２種類のカードの装着状態において、両者の後端部の位置を略一致させると、カードコネクタに設ける第１コンタクトと第２コンタクトが干渉する位置関係になることはない。
【００１０】
ところが、２種類のカードの挿脱方向の長さが同等である場合、カードコネクタに設ける第１のコンタクトと第２のコンタクトを互いに干渉する位置に配置しなければならない。したがって、特許文献２に記載されたカードコネクタの構成では、挿脱方向の長さが同等であって電極部の形状が異なる２種類のカードを選択的に挿入させることができなかった。
【００１１】
また、特許文献３に記載されたＩＣカード用コネクタにおいても、第１及び第２のＩＣカードと第３のＩＣカードの挿脱方向の長さが異なり、装着状態における両者の後端部が一致するため、第１コンタクトと第２コンタクトが干渉する位置関係になることはない。ところが、第３のＩＣカードの挿脱方向の長さが第１及び第２のＩＣカードの挿脱方向の長さと同等である場合、特許文献２に記載されたカードコネクタと同様に、第１のコンタクトと第２のコンタクトを互いに干渉する位置に配置しなければならない。したがって、特許文献３に記載されたＩＣカード用コネクタの構成においても、挿脱方向の長さが同等であって電極部の形状が異なる２種類のカードを選択的に挿入させることができなかった。
【００１２】
なお、特許文献２及び３に記載されたコネクタ（カード用コネクタ）の構成を適用して、挿脱方向の長さが同等であって電極部の形状が異なる２種類のカードを選択的に挿入させるには、装着状態における互いの後端部の位置を挿脱方向にずらすことが考えられる。しかしながら、装着状態における互いの後端部の位置を挿脱方向にずらすと、一方のカードが他方のカードよりもカード用コネクタの外側に突出した位置で装着状態となる。そのため、装着された状態である一方のカードを使用者が誤って無理やり押し込む虞があり、カード用コネクタやカードに不具合が生じるという心配がある。
【００１３】
本発明の目的は、上述の問題点を考慮し、挿脱方向の長さが同等であって電極部の形状が異なる２種類のカードであってもそれらを選択的に装着させることができ、かつ、それぞれの装着状態において、両者の後端部の位置を一致させることができるカード用コネクタ及びそのカード用コネクタ用いた電子機器を提供することある。
【課題を解決するための手段】
【００１４】
本発明のカード用コネクタは、電極部を有する第１のカードと、第１のカードの電極部とは異なる電極部を有すると共に挿脱方向の長さが第１のカードと同等或いは第１のカードよりも長い第２のカードを選択的に装着可能なカード用コネクタである。このカード用コネクタは、開口部を有するハウジングと、ハウジング内に収容されるスライダと、スライダに設けられた第１のコンタクト及び第２のコンタクトと、ハウジングに設けられた第１の導通用接点及び第２の導通用接点と、スライダを付勢する付勢部材と、スライダを固定するロック機構と、を備えたことを最も主要な特徴とする。ハウジングには、第１のカードと第２のカードが選択的に挿入される。スライダは、第２のカードが当接される当接部を有し、第１のカードを装着する際は第１の装着位置に位置すると共に、第２のカードを装着する際はその第２のカードに押圧されて第２の装着位置に移動する。第１のコンタクトの一端部は、第１のカードの電極部に接触し、第２のコンタクトの一端部は、第２のカードの電極部に接触する。第１の導通用接点は、スライダが第１の装着位置にある場合に第１のコンタクトの他端部と接触し、第２の導通用接点は、スライダが第２の装着位置にある場合に第２のコンタクトの他端部と接触する。そして、付勢部材はスライダをハウジングの開口部側に付勢し、ロック機構がスライダを第１の装着位置及び第２の装着位置で固定する。
【００１５】
本発明の電子機器は、カード出し入れ口が設けられた外装ケースと、外装ケースの内部にカード出し入れ口に対応して配置されたカード用コネクタと、を備えている。この電子機器のカード用コネクタには、電極部を有する第１のカードと、第１のカードの電極部とは異なる電極部を有すると共に挿脱方向の長さが第１のカードと同等或いは第１のカードよりも長い第２のカードが選択的に装着される。そして、カード用コネクタは、カード出し入れ口に臨む開口部を有するハウジングと、ハウジング内に収容されるスライダと、スライダに設けられた第１のコンタクト及び第２のコンタクトと、ハウジングに設けられた第１の導通用接点及び第２の導通用接点と、スライダを付勢する付勢部材と、スライダを固定するロック機構と、を有することを特徴とする。カード用コネクタのハウジングには、第１のカードと第２のカードが選択的に挿入される。スライダは、第２のカードが当接される当接部を有し、第１のカードを装着する際は第１の装着位置に位置すると共に、第２のカードを装着する際はその第２のカードに押圧されて第２の装着位置に移動する。第１のコンタクトの一端部は、第１のカードの電極部に接触し、第２のコンタクトの一端部は、第２のカードの電極部に接触する。第１の導通用接点は、スライダが第１の装着位置にある場合に第１のコンタクトの他端部と接触し、第２の導通用接点は、スライダが第２の装着位置にある場合に第２のコンタクトの他端部と接触する。そして、付勢部材はスライダをハウジングの開口部側に付勢し、ロック機構がスライダを第１の装着位置及び第２の装着位置で固定する。
【発明の効果】
【００１６】
本発明のカード用コネクタ及び電子機器によれば、挿脱方向の長さが同等であって電極部の形状が異なる第１のカードと第２のカードを選択的に装着させることができる。しかも、それぞれのカードの装着状態において、両者の後端部の位置を一致させることができ、装着した状態のカードがそれ以上に無理やり押し込まれてカード用コネクタやカードに不具合が生じることを防止することができる。
【発明を実施するための最良の形態】
【００１７】
以下、本発明のカード用コネクタ及び電子機器を実施するための最良の形態について、図面を参照して説明するが、本発明は以下の形態に限定されるものではない。
【００１８】
図１及び図２は、本発明のカード用コネクタの第１の実施の形態を示すものであり、図１は右側面側から見た斜視図、図２は左側面側から見た斜視図である。図１及び図２に示すように、カード用コネクタ１は、略長方形の筐体からなり、前面に開口部２ａを有するハウジング２と、このハウジング２の内部に摺動可能に収容されたスライダ３等を備えている。
【００１９】
このカード用コネクタ１は、図２に示すように、規格が異なり、互いに異なる電極部を有する第１のカード１０１と第２のカード１１１とを選択的に装着可能に構成されている。これら第１のカード１０１及び第２のカード１１１は、画像や音声等の情報を記録するカード型記録媒体である。
【００２０】
まず、図３Ａ〜図３Ｃを参照して、カード用コネクタ１に装着される第１のカード１０１について説明する。図３Ａは第１のカード１０１の平面図、図３Ｂは右側面図、図３Ｃは底面図である。図３Ａ〜図３Ｃに示すように、第１のカード１０１は、略長方形の偏平の筐体からなるケース１０２を有しており、このケース１０２の内部に情報を記録する半導体メモリ等のメモリ（図示せず）が設けられている。
【００２１】
以下、第１のカード１０１及び第２のカード１１１において、カード用コネクタ１に最初に挿入される側を先端側とし、その先端側と反対側を後端側とする。第１のカード１０１のケース１０２において、先端側の一方の角部には、誤挿入を防止するための切欠き部１０３が設けられている。これにより、ケース１０２の先端部１０２ａが後端部１０２ｂよりも小さくなっている。
【００２２】
図３Ｃに示すように、ケース１０２の底面の先端側には、電極部１０６設けられている。電極部１０６は、ケース１０２の内部に設けたメモリと電気的に接続されており、この電極部１０６を介してメモリに対する情報の書き込み及び呼び出しが行われる。電極部１０６は、第１のカード１０１がカード用コネクタ１に装着された場合に、カード用コネクタ１の後述する第１のコンタクト５１（図５を参照）に接触する。
【００２３】
次に、図４Ａ〜図４Ｃを参照して、カード用コネクタ１に装着される第２のカード１１１について説明する。図４Ａは第２のカード１１１の平面図、図４Ｂは右側面図、図４Ｃは底面図である。図４Ａ〜図４Ｃに示すように、第２のカード１１１は、略長方形の偏平の筐体からなるケース１１２を有しており、このケース１１２の内部に情報を記録する半導体メモリ等のメモリ（図示せず）が設けられている。
【００２４】
第２のカード１１１のケース１１２は、長手方向（カード用コネクタ１に対する挿脱方向）の長さが第１のカード１０２の長手方向（カード用コネクタ１に対する挿脱方向）の長さと同等となっている。このケース１１２には、第１のカード１０１のケース１０２に設けられるような切欠き部がなく、先端部１１２ａと後端部１１２ｂが略等しい大きさとなっている。
【００２５】
また、ケース１１２の長手方向の両側には、段部１１３Ａ，１１３Ｂが設けられている。ケース１１２の左側部となる段部１１３Ａには、第１の凹部１１４ａと第２の凹部１１４ｂが設けられており、ケース１１２の右側部となる段部１１３Ｂには、第３の凹部１１４ｃが設けられている。これら３つの凹部１１４ａ〜１１４ｃのうち第１の凹部１１４ａには、第２のカード１１１がカード用コネクタ１に装着された場合に、カード用コネクタ１の後述するロック片１３（図１を参照）が係合される。
【００２６】
図４Ｃに示すように、ケース１１２の底面の先端側には、電極部１１６が設けられている。電極部１１６は、ケース１１２の内部に設けたメモリと電気的に接続されており、この電極部１１６を介してメモリに対する情報の書き込み及び呼び出しが行われる。電極部１１６は、第２のカード１１１がカード用コネクタ１に装着された場合に、カード用コネクタ１の後述する第２のコンタクト５２（図５を参照）に接触する。このような構成を有する第２のカード１１１と上述した第１のカード１０１を平面方向に重ねて投影すると、両者の電極部１０６，１１６は、互いに重なる位置関係となる。
【００２７】
次に、図５を参照して、カード用コネクタ１の構成について説明する。図５は、カード用コネクタ１の分解斜視図である。図５に示すように、カード用コネクタ１のハウジング２は、カバー部材５と、ベース部材６から構成されている。
【００２８】
カバー部材５は、ハウジング２の上面を形成する略長方形の上面板５Ａと、開口部２ａ側から見てハウジング２の左側面を形成する左側面板５Ｂと、同じくハウジング２の右側面を形成する右側面板５Ｃを有している。左右の側面板５Ｂ，５Ｃは、上面板５Ａの長手方向の両側にそれぞれ連続して略垂直に延在されている。このカバー部材５の材質としては、ステンレス鋼やアルミ合金等の金属を挙げることができるが、アクリロニトリル・ブタジエン・スチレン（ＡＢＳ）樹脂等、その他の合成樹脂を用いることもできる。
【００２９】
上面板５Ａの長手方向の一端には、放物線状に形成された切欠き部１１が設けられている。この切欠き部１１は、上述した第１及び第２のカード１０１，１１１が選択的に出し入れされる開口部２ａの一部となる。カバー部材５の左右の側面版５Ｂ，５Ｃには、複数の係合孔１２が長手方向に適当な間隔をあけて配置されている。この複数の係合孔１２には、ベース部材６に設けられた後述する複数の係合爪２４がそれぞれ係合される。
【００３０】
また、図１に示すように、カバー部材５の右側面板５Ｃには、ロック片１３が設けられている。このロック片１３は、右側面板５Ｃの略中央部に切り込み１４を設けることにより形成されていて、水平方向に弾性（撓み）変形可能とされている。このロック片１３は、中途部に内側に突出するロック突部１３ａを有しており、このロック突部１３ａがスライダの後述する第１のロック用凹部４１、第２のロック用凹部４２及び第２のカード１１１の第１の凹部１１４ａに係合される。
【００３１】
図５に示すように、ハウジング２の底面部を形成するベース部材６は、カバー部材５に対応した大きさの長方形に形成された板体からなっている。このベース部材６は、絶縁材料、例えば、絶縁性を有する合成樹脂から形成されている。ベース部材６には、カバー部材５の左側面板５Ｂに対応する左側立上り片１６と、カバー部材５の右側面板５Ｃに対応する一対の右側立上り片１７Ａ，１７Ｂと、スライダ３の移動を案内するガイド溝１８と、スライダ３の開口部２ａと反対側への移動を制限するストッパ片１９と、第１の導通用接点２１と、第２の導通用接点２２が設けられている。
【００３２】
左側立上り片１６は、ベース部材６の幅方向の一端に連続して略垂直に突出されており、長手方向の一端部（開口部２ａ側）から他端部にかけて延在されている。この左側立上り片１６の外側の面には、カバー部材５の左側面板５Ｂに設けた複数の係合孔１２に係合される複数の係合爪２４が設けられている。係合爪２４は、係合孔１２との係合を容易にするため、上側の角部を斜めに切り落としたような傾斜面２４ａを有している。また、左側立上り片１６の内面には、スライダ３の開口部２ａ側への移動を制限するストッパ突部２５が設けられている。このストッパ突部２５には、スライダ３の後述する第２の係合部４６が当接される。
【００３３】
一対の右側立上り片１７Ａ，１７Ｂは、それぞれベース部材６の幅方向の他端に連続して略垂直に突出されている。右側立上り片１７Ａは、ベース部材６の長手方向の一端部（開口部２ａ側）に配置され、右側立上り片１７Ｂがベース部材６の長手方向の他端部に配置されている。一対の右側立上り片１７Ａ，１７Ｂの外側の面には、カバー部材５の右側面板５Ｃに設けた複数の係合孔１２に係合される複数の係合爪２１が設けられている（図１を参照）。また、右側立上り片１７Ａは、スライダ３の開口部２ａ側への移動を制限するストッパの役割を有している。そのため、右側立上り片１７Ａには、スライダ３の後述する第１の係合部４５が当接される。
【００３４】
ガイド溝１８は、ベース部材６の長手方向にそって延在される細長の角穴として形成されている。このガイド溝１８には、スライダ３に設けられた係合突起（図示せず）が摺動可能に係合される。これにより、スライダ３がベース部材６上をその長手方向（第１及び第２のカード１０１，１１１の挿脱方向）に移動可能となっている。
【００３５】
ストッパ片１９は、ベース部材６の上面から略垂直に突出しており、一側が右側立上り片１７Ｂの内面に連続している。このストッパ片１９は、ベース部材６の上面に略直交すると共にスライダ３の後述する背面３１ｄが当接される当接面１９ａを有しており、この当接面１９ａにシャフト２７が設けられている。シャフト２７は、円柱体からなり、その軸心がベース部材６の長手方向に延在されている。このシャフト２７は、付勢部材の一具体例を示す圧縮コイルばね２８に挿通される。この圧縮コイルばね２８の一端は、ストッパ片１９の当接面１９ａに当接され、他端がスライダ３の後述するばね収納凹部３９に当接される。
【００３６】
第１の導通用接点２１及び第２の導通用接点２２は、ベース部材６の上面に設けられており、ベース部材６の長手方向の一端部に第２の導通用接点２２が配置され、他端部に第１の導通用接点２１が配置されている。第１の導通用接点２１は、銅やアルミニウム合金等の導通材料からなる複数の電極２１ａをベース部材６の幅方向に所定の間隔をあけて並べることにより形成されている。この第１の導通用接点２１には、スライダ３が後述する第１の装着位置にあるとき、そのスライダ３に固定された第１のコンタクト５１が接触される。
【００３７】
また、第２の導通用接点２２は、第１の導通用接点２１と同様に、銅やアルミニウム合金等の導通材料からなる複数の電極２２ａをベース部材６の幅方向に所定の間隔をあけて並べることにより形成されている。この第２の導通用接点２２には、スライダ３が後述する第２の装着位置にあるとき、そのスライダ３に固定された第２のコンタクト５２が接触される。
【００３８】
カード用コネクタ１のスライダ３は、絶縁材料、例えば、絶縁性を有する合成樹脂から形成されており、スライダベース３１を有している。このスライダベース３１は、所定の厚みを有する略長方形の板体からなっている。即ち、スライダベース３１は、ハウジング２の開口部２ａに臨む正面３１ａと、この正面３１ａに対向する背面３１ｂと、上面３１ｃと、この上面部３１ａに対向する底面３１ｄ（図７Ｂを参照）と、正面から見て左側の側面を形成する左側面３１ｅと、右側の側面を形成する右側面３１ｆを有している。
【００３９】
スライダベース３１には、正面３１ａから底面３１ｄにかけて大きく開口されたコンタクト用開口部３２が設けられている。このコンタクト用開口部３２には、後述する第２のコンタクト５２の第２接触端部５２ｂが配置される。また、スライダベース３１の背面３１ｂからは、後述する第１のコンタクト５１の第２接触端部５１ｂが突出される。
【００４０】
スライダベース３１の上面３１ｃには、背面３１ｂ側の端部及び右側面３１ｆ側の端部に連続する略Ｌ字状の係合壁３４が設けられている。この係合壁３４は、第１のカード１０１の先端部１０２ａが係合される先端係合部３６と、第１のカード１０１の切欠き部１０３が係合される切欠き係合部３７と、第２のカード１１１の先端部１１２ａが当接される先端当接部３８と、圧縮コイルばね２８が圧縮された状態で収納されるばね収納凹部３９を有している。
【００４１】
先端係合部３６は、スライダベース３１の上面３１ｃにおいて、背面３１ｂ側の端部に配置され、スライダベース３１の幅方向に延在されている。切欠き係合部３７は、先端係合部３６に連続していて、スライダベース３１の長手方向に延在されている。第２先端当接部３８は、切欠き係合部３７の先端係合部３６と反対側に連続しており、スライダベース３１の長手方向の略中央部に配置されている。また、ばね収納凹部３９は、スライダベース３１の背面３１ｂと同一平面をなす係合壁３４の一面に開口されており、スライダベース３１の長手方向に延在されている。
【００４２】
スライダベース３１の右側面３１ｆには、当接壁３２の上面に至るまで形成された第１のロック用凹部４１と、この第１のロック用凹部４１よりも正面３１ａ側に形成された第２のロック用凹部４２が設けられている。第１のロック用凹部４１には、スライダ３が後述する第１の装着位置（図７Ａを参照）にあるとき、ハウジング２に設けたロック片１３のロック突部１３ａが係合される。そして、第２のロック用凹部４２には、スライダ３が後述する第２の装着位置（図１０Ｃを参照）にあるとき、ロック片１３のロック突部１３ａが係合される。
【００４３】
第２のロック用凹部４２は、スライダベース３１の長手方向に直交する２つの平面を有しており、そのうちの一方の平面が第１の係合部４５となっている。この第１の係合部４５は、ハウジング２のベース部材６に設けた右側立上り片１７Ａに当接する。また、第２のロック用凹部４２の平面形状は、第２のカード１１１の第１の凹部１１４ａの平面形状と略同一に設定されている。
【００４４】
スライダベース３１の左側面３１ｅには、中間部に第２の係合部４６が設けられている。第２の係合部４６は、左側面３１ｅの中間部にスライダベース３１の長手方向に直交する段差面を設けることにより形成されている。この第２の係合部４６は、ハウジング２のベース部材６に設けたストッパ突部２５に当接する。
【００４５】
スライダベース３１の底面３１ｄには、ハウジング２のベース部材６に設けたガイド溝１８に摺動可能に係合される係合突起（図示せず）が設けられている。この係合突起がガイド溝１８内を摺動することにより、スライダ３はハウジング２の長手方向、即ち、第１のカード１０１及び第２のカード１１１の挿脱方向に移動する。スライダ３は、ハウジング２の開口部２ａ側に位置する第１の装着位置からその第１の装着位置よりもハウジング２内の奥側に位置する第２の装着位置まで移動する。
【００４６】
スライダ３が第１の装着位置にある場合、スライダ３の第１の係合部４５がハウジング２の右側立上り片１７Ａに当接すると共に、第２の係合部４６がハウジング２のストッパ突部２５に当接する（図７Ａを参照）。このとき、ハウジング２に設けたロック片１３のロック突部１３ａがスライダ３の第１のロック用凹部４１に係合する。
【００４７】
一方、スライダ３が第２の装着位置にある場合、スライダ３のスライダベース３１の背面３１ｄ及び当接壁３２がハウジング２のストッパ片１９に当接する（図１０Ｃを参照）。このとき、ハウジング２に設けたロック片１３のロック突部１３ａがスライダ３の第２のロック用凹部４２に係合する。
【００４８】
また、スライダ３のスライダベース３１には、銅合金等の導通材料によって形成された第１のコンタクト５１と第２のコンタクト５２が取り付けられている。第１のコンタクト５１は、スライダベース３１の背面３１ｃ側に配置され、第２のコンタクト５２が正面３１ａ側に配置されている。これら第１及び第２のコンタクト５１，５２は、スライダベース３１を上下方向に貫通しており、インサート成形や圧入等により固定されている。
【００４９】
第１のコンタクト５１は、第１のカード１０１の電極部１０６に対応して複数設けられており、それぞれ細長い薄板状の導通材料を折り曲げ成形することで形成されている。この第１のコンタクト５１の両端は、略Ｌ字状に折り曲げ形成された第１接触端部５１ａ及び第２接触端部５１ｂとなっている。
【００５０】
第１のコンタクト５１の第１接触端部５１ａは、スライダベース３１に設けられた第１の開口窓４７によって露出されている。この第１接触端部５１ａは、斜め上方に延在されていて、折り曲げ部分が上面３１ｃよりも僅かに突出している。この第１接触端部６３ａの折り曲げ部分には、第１のカード１０１の電極部１０６が接触される。
【００５１】
また、第１のコンタクト５１の第２接触端部５１ｂは、スライダベース３１の背面３１ｂから突出している。この第２接触端部５１ｂは、斜め下方に延在されていて、折り曲げ部分がスライダベース３１の底面３１ｄよりも僅かに突出している。第２接触端部５１ｂは、スライダ３が第１の装着位置にあるとき、ベース部材６の第１の導通用接点２１に接触する。
【００５２】
第２のコンタクト５２は、第２のカード１１１の電極部１１６に対応して複数設けられており、それぞれ細長い薄板状の導通材料を折り曲げ成形することで形成されている。この第２のコンタクト５２の両端は、第１のコンタクト５１と同様に、略Ｌ字状に折り曲げ形成された第１接触端部５２ａ及び第２接触端部５２ｂとなっている。
【００５３】
第２のコンタクト５２の第１接触端部５２ａは、スライダベース３１に設けられた第２の開口窓４８によって露出されている。この第１接触端部５２ａは、斜め上方に延在されていて、折り曲げ部分が上面３１ｃよりも僅かに突出している。この第１接触端部６３ａの折り曲げ部分には、第２のカード１１１の電極部１１６が接触される。
【００５４】
また、第２のコンタクト５２の第２接触端部５２ｂは、スライダベース３１のコンタクト用開口部３２によって露出されている。この第２接触端部５２ｂは、斜め下方に延在されていて、折り曲げ部分がスライダベース３１の底面３１ｄよりも僅かに突出している。第２接触端部５２ｂは、スライダ３が第２の装着位置にあるとき、ベース部材６の第２の導通用接点２２に接触する。
【００５５】
次に、図６、図７Ａ及び図７Ｂに基づいて、上述した構成を有するカード用コネクタ１の組立てについて説明する。図６は、カード用コネクタ１からカバー部材５を取り外した状態の斜視図である。図７Ａはカード用コネクタ１の横断面図、図７Ｂはカード用コネクタ１の縦断面図である。カード用コネクタ１を組み立てるには、まず、ベース部材６のシャフト２７に圧縮コイルばね２８を取り付ける（図５を参照）。
【００５６】
次に、ベース部材６にスライダ３を取り付ける。この際、まず、圧縮コイルばね２８の一部をスライダ３のばね収納凹部３９に収納する。これにより、圧縮コイルばね２８の一端がベース部材６に設けたストッパ片１９の当接面１９ａに当接され、他端がスライダ３のばね収納凹部３７に当接される。次に、スライダ３を圧縮コイルばね２８のばね力に抗してストッパ片１９側へ押圧し、スライダ３の底面３１ｄに設けた係合突起（図示せず）をベース部材６のガイド溝１８に係合させる。
【００５７】
このとき、スライダ３の第１の係合部４５及び第２の係合部４６が、それぞれベース部材６の右側立上り片１７Ａ及びストッパ突部２５よりもストッパ片１９側に位置した状態となる。その後、スライダ３に対する押圧を止める。これにより、スライダ３が圧縮コイルばね２８のばね力によって付勢され、図６及び図７Ａに示すように、第１の係合部４５及び第２の係合部４６が、ベース部材６の右側立上り片１７Ａ及びストッパ突部２５にそれぞれ当接される。
【００５８】
次に、スライダ３が取り付けられた図６に示す状態のベース部材６に、カバー部材５を取り付ける。即ち、カバー部材５の複数の係合孔１２にベース部材６の複数の係合爪２４をそれぞれ係合させる。ベース部材６にカバー部材５を取り付ける際、カバー部材５の左右の側面板５Ｂ,５Ｃは、複数の係合爪２４の傾斜面２４ａによってそれぞれ外側に撓み変形し、複数の係合孔１２に複数の係合爪２４がそれぞれ係合した状態で元の形状に戻る。そのため、複数の係合爪２４を複数の係合孔１２に容易に係合させることができる。
【００５９】
ベース部材６にカバー部材５を取り付けると、図７Ａに示すように、カバー部材５に設けたロック片１３のロック突部１３ａがスライダ３の第１のロック用凹部４１に係合し、これにより、カード用コネクタ１の組立てが完了する。カード用コネクタ１の組み立てが完了した状態において、スライダ３は第１の装着位置に固定されている。このとき、図７Ｂに示すように、スライダ３に固定された第１のコンタクト５１の第２接触端部５１ｂが、ベース部材６の第１の導通用接点２１に接触している。一方、スライダ３に固定された第２のコンタクト５２の第２接触端部５２ｂは、ベース部材６の第２の導通用接点２２に接触していない。
【００６０】
次に、図８、図９Ａ及び図９Ｂを参照して、カード用コネクタ１に対する第１のカード１０１の装着について説明する。図８は、第１のカード１０１が装着されたカード用コネクタ１からカバー部材５を取り外した状態の斜視図である。図９Ａ及び図９Ｂは、カード用コネクタ１に第１のカード１０１が装着された状態を説明するものであり、図９Ａは横断面図、図９Ｂは縦断面図である。
【００６１】
カード用コネクタ１に第１のカード１０１を装着するには、まず、第１のカード１０１の先端部１０２ａをカード用コネクタ１の開口部２ａ（図２を参照）に対向させ、その開口部２ａからハウジング２の内部に第１のカード１０１を挿入する。このとき、ハウジング２に設けたロック片１３のロック突部１３ａは、スライダ３の第１のロック用凹部４１に係合しており、スライダ３が第１の装着位置に固定されている（図７Ａを参照）。
【００６２】
第１のカード１０１は、第１の装着位置にあるスライダ３の上面部３１ａに沿って移動される。そして、図８及び図９Ａに示すように、第１のカード１０１の先端部１０２ａ及び切欠き部１０３が、スライダ３の先端係合部３６及び切欠き係合部３７にそれぞれ係合される。
【００６３】
このとき、図９Ｂに示すように、第１のカード１０１の電極部１０６が、スライダ３に固定された第１のコンタクト５１の第１接触端部５１ａに接触される。これにより、第１のカード１０１がカード用コネクタ１に装着される。この状態において、スライダ３が第１の装着位置にあるため、第１のコンタクト５１の第２接触端部５１ｂは、ベース部材６の第１の導通用接点２１に接触している。そのため、第１のカード１０１の電極部１０６は、第１のコンタクト５１を介して第１の導通用接点２１に導通した状態となる。
【００６４】
なお、カード用コネクタ１から第１のカード１０１を取り外すには、第１のカード１０１の後端部１０２ａを指等で摘んで挿入方向と反対の方向に引っ張る。これにより、第１のカード１０１の先端部１０２ａとスライダ３の先端係合部３６の係合が外れると共に、切欠き部１０３と切欠き係合部３７との係合が外れ、第１のカード１０１を取り出すことができる。
【００６５】
次に、図１０Ａ〜図１０Ｃ、図１１及び図１２を参照して、カード用コネクタ１に対する第２のカード１１１の装着について説明する。図１０Ａ〜図１０Ｃはカード用コネクタ１に第２のカード１１１が装着される状態を説明する説明図である。図１１は、第２のカード１１１が装着されたカード用コネクタ１からカバー部材５を取り外した状態の斜視図、図１２は、第２のカード１１１が装着されたカード用コネクタ１の縦断面図である。
【００６６】
カード用コネクタ１に第２のカード１１１を装着するには、まず、第２のカード１１１の先端部１１２ａをカード用コネクタ１の開口部２ａ（図２を参照）に対向させ、その開口部２ａからハウジング２の内部に第２のカード１１１を挿入する。このとき、ハウジング２に設けたロック片１３のロック突部１３ａは、スライダ３の第１のロック用凹部４１に係合しており、スライダ３が第１の装着位置にある（図７Ａを参照）。
【００６７】
第２のカード１１１は、第１の装着位置にあるスライダ３の上面部３１ａに沿って移動される。そして、図１０Ａに示すように、挿入の途中で第２のカード１１１の先端部１１２ａ（角部）が、スライダ３の先端当接部３８に当接される。このとき、第２のカード１１１の第１の凹部１１４ａが、スライダ３の第２のロック用凹部４２上に位置し、両者が上下方向に一致した状態となる。
【００６８】
また、第２のカード１１１の先端部１１２ａがスライダ３の先端当接部３８に当接されると、第２のカード１１１の電極部１１６が、スライダ３に固定された第２のコンタクト５２の第１接触端部５２ａに接触される（図１２を参照）。この状態において、スライダ３が第１の装着位置にあるため、第２のコンタクト５２の第２接触端部５２ｂは、ベース部材６の第２の導通用接点２２に接触していない（図７Ｂを参照）。
【００６９】
図１０Ａに示す状態から第２のカード１１１を更にハウジング２の内部に挿入すると、スライダ３が第２のカード１１１によって圧縮コイルばね２８のばね力に抗して押圧され、開口部２ａから離反するように摺動する。即ち、スライダ３は、第２のカード１１１と一体的に第２のカード１１１の挿入方向に移動する。このとき、図１０Ｂに示すように、スライダ３が押圧されて移動することによりロック片１３が外側に撓み（弾性）変形し、ロック突部１３ａが第１のロック用凹部４１から外れる。
【００７０】
図１０Ｂに示す状態から第２のカード１１１を更にハウジング２の内部に挿入すると、スライダ３の背面３１ｄがベース部材６に設けたストッパ片１９の当接面１９ａに当接され、スライダ３の移動が係止される。これにより、スライダ３が第２の装着位置に位置し、図１０Ｃ及び図１１に示すように、第２のカード１１１がカード用コネクタ１に装着される。
【００７１】
このとき、ロック片１３のロック突部１３ａが、スライダ３の第２のロック用凹部４２及び第２のカード１１１の第１の凹部１１４ａに係合される。そのため、圧縮コイルばね２８のばね力によって付勢されることによるスライダ３の開口部２ａ側への移動が係止される。また、このとき、スライダ３が第２の装着位置にあるため、第２のコンタクト５２の第２接触端部５２ｂは、図１２に示すように、ベース部材６の第２の導通用接点２２に接触している。これにより、第２のカード１１１の電極部１１６は、第２のコンタクト５２を介して第２の導通用接点２２に導通した状態となる。
【００７２】
カード用コネクタ１から第２のカード１１１を取り外すには、第１のカード１１１の後端部１１２ａを指等で摘んで挿入方向と反対の方向に引っ張る。これにより、ロック片１３が外側に撓み（弾性）変形し、ロック突部１３ａがスライダ３の第２のロック用凹部４２及び第２のカード１１１の第１の凹部１１４ａから外れる。ロック突部１３ａが第２のロック用凹部４２及び第１の凹部１１４ａから外れると、スライダ３は、圧縮コイルばね２８のばね力により開口部２ａ側に付勢され、図１０Ａに示す第１の装着位置に戻る。その際、第２のカード１１１がスライダ３によって開口部２ａから押し出されるように移動するため、第２のカード１１１を簡単に取り外すことができる。
【００７３】
図７Ａに示すように、先端係合部３６の第１のカード１０１が係合される面から先端当接部３８の第２のカード１１１が当接される面までの距離を距離Ｘ１とする。また、スライダ３が第１の装着位置に位置する場合において、スライダ３の背面３１ｄからストッパ片１９の当接面１９ａまでの距離を距離Ｘ２とする。
【００７４】
本実施の形態では、距離Ｘ１と距離Ｘ２が略同一となるように設定している（Ｘ２≒Ｘ１）。これにより、挿脱方向の長さが同等な第１のカード１０１及び第２のカード１１１のそれぞれの装着状態において、開口部２ａに対する両者の後端部１０２ａ，１１２ａの位置を略同一にすることができる。なお、挿脱方向の長さが異なる第１のカードと第２のカードを選択的に装着させる場合は、距離Ｘ２、即ち、スライダ３の移動距離を調整することにより、開口部２ａに対する両者の後端部の位置を略同一にすることができる。
【００７５】
ここで、スライダ３の移動距離の設定について説明する。第１のカードと第２のカードとの挿脱方向の長さの差を距離Ｙとすると、スライダ３の移動距離（距離Ｘ２）は、距離Ｙに距離Ｘ１を足したものと略等しくなるように設定する（Ｘ２≒Ｙ＋Ｘ１）。本実施の形態の場合、第１のカード１０１と第２のカード１１１との挿脱方向の長さが同等であるため、距離Ｘ１と距離Ｘ２が略同一となる（Ｘ２≒Ｘ１）。このように距離Ｘ２を設定することにより、その距離Ｘ２は、装着された状態の第１のカード１０１の後端部１０２ａの位置と、第１の装着位置にあるスライダ３の先端当接部３８に当接した第２のカード１１１の後端部１１２ａの位置との差と略同一になる。
【００７６】
また、本実施の形態では、付勢部材の一具体例として圧縮コイルばね２８を用いる構成としたが、本発明に係る付勢部材としては、これに限定されるものではない。本発明に係る付勢部材としては、例えば、板ばね、トーションばね（ねじりばね）等のその他のばねを用いることができることは勿論、ゴム等の弾性体を適用することもできる。
【００７７】
このような構成を有するカード用コネクタ１によれば、挿脱方向の長さが同等であって電極部の形状が異なる第１のカード１０１と第２のカード１０２を選択的に装着させることができる。その結果、２種類のカードが使用可能な電子機器の小型化に貢献することができると共に、その電子機器のコストダウンに貢献することができる。
【００７８】
また、第１のカード１０１及び第２のカード１１１のそれぞれの装着状態において、両者の後端部１０２ｂ，１１２ｂの位置を一致させることができる。これにより、装着されたカード１０１，１１１を使用者が誤って押し込む心配がなく、カード用コネクタ１やカード１０１，１１１に生じる不具合の原因を削減することができる。
【００７９】
図１３は、本発明のカード用コネクタの第２の実施の形態を示すものである。このカード用コネクタ６１は、第１の実施の形態のカード用コネクタ１と同様な構成を有しており、異なるところは、スライダ３に固定される第１のコンタクト６３のみである。そのため、ここでは、第１のコンタクト６３について説明し、カード用コネクタ１と共通する部分には同一符号を付して重複した説明を省略する。
【００８０】
第１のコンタクト６３は、スライダベース３１を上下方向に貫通しており、インサート成形や圧入等により固定されている。この第１のコンタクト６３は、第１のカード１０１の電極部１０６に対応して複数設けられており、それぞれ細長い薄板状の導通材料を折り曲げ成形することで形成されている。第１のコンタクト６３の両端は、略Ｌ字状に折り曲げ形成された第１接触端部６３ａ及び第２接触端部６３ｂとなっている。
【００８１】
第１のコンタクト６３の第１接触端部６３ａと第２接触端部６３ｂは、上下方向に対向しており、第１の開口窓４７によって露出されている。第１接触端部６３ａは、斜め上方に延在されていて、折り曲げ部分がスライダベース３１の上面３１ｃよりも僅かに突出している。この第１接触端部６３ａの折り曲げ部分には、第１のカード１０１の電極部１０６が接触される。第２接触端部６３ｂは、斜め下方に延在されていて、スライダベース３１の底面３１ｄよりも僅かに突出している。この第２接触端部６３ｂの折り曲げ部分は、スライダ３が第１の装着位置にあるとき、ベース部材６の第１の導通用接点２１に接触する。
【００８２】
このような構成を有するカード用コネクタ６１においても、第１の実施の形態のカードコネクタ１と同様に、第１のカード１０１と第２のカード１１１（図４を参照）を選択的に装着させることができる。そして、第１のカード１０１及び第２のカード１１１のそれぞれの装着状態において、カード用コネクタ１の開口部２ａに対する両者の後端部１０２ａ，１１２ａの位置を略同一にすることができる。
【００８３】
また、カード用コネクタ６１では、第１のコネクタ６３の第１接触端部６３ａと第２接触端部６３ｂを上下方向に対向させる構成としたため、第１のコネクタ６３の長さを短くすることがでる。その結果、カード用コネクタ６１の長手方向（第１及び第２のカード１０１，１１１の挿脱方向）の長さを第１の実施の形態のカードコネクタ１長手方向の長さよりも短くして、コネクタの小型化を図ることができる。
【００８４】
なお、本実施の形態では、第１のコネクタ６３の第１接触端部６３ａと第２接触端部６３ｂを上下方向に対向させる構成としたが、第２のコネクタの第１接触端部と第２接触端部を上下方向に対向させてもよい。その場合、第２のコネクタの第１接触端部と第２接触端部を第２の開口窓４８によって露出させる。また、両方のコネクタの第１接触端部と第２接触端部を上下方向に対向させることもできる。その場合、カード用コネクタの更なる小型化を図ることができる。
【００８５】
図１４は、前述したような構成及び作用を有するカード用コネクタ１を備えた電子機器の一例としての携帯電話端末を示すものである。この携帯電話端末２０１は、連結部を介して２つの筐体を折りたたみ可能に構成した、いわゆる折りたたみ式携帯電話端末である。図１４に示すように、携帯電話端末２０１は、外装ケースの一具体例を示す第１筐体２０２及び第２筐体２０３と、第１筐体２０２と第２筐体２０３を回動可能に連結するヒンジ部２０４等を備えている。
【００８６】
第１筐体２０２は、扁平の直方体状に形成されている。この第１筐体２０２の第２筐体２０３と重ね合わされる面である内面２０２ａには、表示画面の一具体例を示す液晶ディスプレイ２１１と、スピーカ用孔２１２と、カメラ部２１３が設けられている。液晶ディスプレイ２１１は、内面２０２ａを大きく占有するように大型に形成されている。スピーカ用孔２１２及びカメラ部２１３は、ヒンジ部２０４と反対側の端部に配置されている。
【００８７】
第２筐体２０３は、第１筐体２０２と同様に、扁平の直方体状に形成されている。この第２筐体２０３の第１筐体１０２と重ね合わされる面である内面２０３ａには、複数の操作キー２１５と、４つの機能切替キー２１６と、ジョグシャトル操作部２１７と、マイクロホン用孔２１９等が設けられている。複数の操作キー２１５は、内面２０３ａの略中央部に配置されている。４つの機能切替キー２１６及びジョグシャトル操作部２１７は、ヒンジ部２０４側の端部に配置されており、マイクロホン用孔２１９は、ヒンジ部１０４と反対側の端部に配置されている。
【００８８】
複数の操作キー２１５としては、例えば、１，２，３…９，０の数字や記号に対応したダイヤルキー、発信キー、終了キーを挙げることができる。また、４つの機能切替キー２１６としては、例えば、携帯電話端末２０１の機能をメール機能に切り替えるメールキーや、カメラ機能に切り替えるカメラキー等を挙げることができる。ジョグシャトル操作部２１７は、液晶ディスプレイ２１１に表示されたメニューを選択する選択ボタンや、携帯電話端末２０１の機能をカメラ機能にした際のシャッタボタン等の役割を有している。
【００８９】
また、第２筐体２０３の一側面２０３ｂには、カード出し入れ口２２１が設けられている。このカード出し入れ口２２１は、キャップ（図示せず）によって開閉自在とされている。そして、第２筐体２０３の内部には、カード出し入れ口２２１に対応する位置にカード用コネクタ１が設けられている。更に、第２筐体２０３の内部には、データの処理等を行うＣＰＵ（Central Processing Unit）やデータの読み書きを電気的に行なうＲＡＭ（Random Access Memory）等の電子部品が搭載された回路基板（図示せず）が設けられている。カード用コネクタ１の第１の導通用接点２１及び第２の導通用接点２２は、図示しない配線ケーブルによって回路基板と電気的に接続されている。
【００９０】
このような構成を有する携帯電話端末２０１に本発明のカード用コネクタ１を適用することにより、第１のカード１０１と第２のカード１１１の両方のカードを使用可能な携帯電話端末を提供することができる。そして、第１のカード１０１及び第２のカード１１１のそれぞれの装着状態において、カード用コネクタ１の開口部２ａに対する両者の後端部１０２ａ，１１２ａの位置を略同一にすることができる。その結果、使用者は、第１のカード１０１及び第２のカード１１１を同じ装着感で携帯電話端末２０１（カード用コネクタ１）に装着することができる。
【００９１】
以上説明したように、本発明のカード用コンタクト及びそのカード用コンタクトを備えた電子機器によれば、挿脱方向の長さが同等であって電極部の形状が異なる第１のカードと第２のカードを選択的に装着させることができる。そして、第１のカード及び第２のカードのそれぞれの装着状態において、両者の後端部の位置を一致させることができる。その結果、装着されたカードを使用者が誤って押し込む心配がなく、カード用コネクタやカードに生じる不具合の原因を削減することができる。
【００９２】
また、第２のカードを挿脱する際、スライダに力が加えられることによってロック片が撓み（弾性）変形し、ロック片と第１のロック用凹部及び第２のロック用凹部との係合が外れるようにした。そのため、極めて簡単な構成でスライダのロック及びその解除を行うことができる。更に、スライダが第２の装着位置にあるとき、第２のロック用凹部と第２のカードの凹部にロック片を係合させる構成とした。そのため、第２のカードを引っ張って取り外す際に、その第２のカードによってロック片を撓み変形させることができ、スライダの第２の装着位置における固定を確実に解除することができる。
【００９３】
本発明は前述しかつ図面に示した実施の形態に限定されるものではなく、その要旨を逸脱しない範囲内で種々の変形実施が可能である。例えば、前記実施の形態においては、電子機器として携帯電話端末を例に挙げて説明したが、ビデオカメラ、デジタルスチルカメラ、ポータブル音声レコーダ等その他の電子機器にも適用できるものである。
【図面の簡単な説明】
【００９４】
【図１】本発明のカード用コネクタの第１の実施の形態を右斜め正面側から見た外観斜視図である。
【図２】本発明のカード用コネクタの第１の実施の形態を左斜め正面側から見た外観斜視図である。
【図３】本発明のカード用コネクタの第１の実施の形態に装着可能な第１のカードを説明するものであり、図３Ａは平面図、図３Ｂは右側面図、図３Ｃは底面図である。
【図４】本発明のカード用コネクタの第１の実施の形態に装着可能な第２のカードを説明するものであり、図４Ａは平面図、図４Ｂは右側面図、図４Ｃは底面図である。
【図５】本発明のカード用コネクタの第１の実施の形態の分解斜視図である。
【図６】本発明のカード用コネクタの第１の実施の形態からカバー部材を取り外した状態の斜視図である。
【図７】本発明のカード用コネクタの第１の実施の形態を説明するものであり、図７Ａは横断面図、図７Ｂは縦断面図である。
【図８】本発明のカード用コネクタの第１の実施の形態に第１のカードを装着すると共にカバー部材を取り外した状態の斜視図である。
【図９】本発明のカード用コネクタの第１の実施の形態に第１のカードを装着した状態を説明するものであり、図９Ａは横断面図、図９Ｂは縦断面図である。
【図１０】本発明のカード用コネクタの第１の実施の形態に第２のカードが装着される状態を説明するものであり、図１０Ａは第２のカードの先端部が先端当接部に当接した状態の説明図、図１０Ｂは図１０Ａに示す状態から更に第２のカードを挿入してロック片が撓み変形した状態の説明図、図１０Ｃは図１０Ｂに示す状態から更に第２のカードを挿入して第２のカードが装着された状態の説明図である。
【図１１】本発明のカード用コネクタの第１の実施の形態に第２のカードを装着すると共にカバー部材を取り外した状態の斜視図である。
【図１２】本発明のカード用コネクタの第１の実施の形態に第１のカードを装着した状態の縦断面図である。
【図１３】本発明のカード用コネクタの第２の実施の形態を説明する説明図である。
【図１４】本発明の実施の形態による電子機器の一例を示すもので、カード用コネクタを備えた携帯電話端末の説明図である。
【符号の説明】
【００９５】
１，６１…カード用コネクタ、  ２…ハウジング、  ２ａ…開口部、  ３…スライダ、  ５…カバー部材、  ６…ベース部材、  １３…ロック片、  １３ａ…ロック突部、  ２１…第１の導通用接点、  ２２…第２の導通用接点、  ２５…係止突部、  ２８…圧縮コイルばね（付勢部材）、  ３１…スライダベース、  ３４…係合壁、  ３６…先端係合部、  ３７…切欠き係合部、  ３８…先端当接部、  ３９…ばね収納凹部、  ４１…第１のロック用凹部、  ４２…第２のロック用凹部、  ４５…第１の係合部、  ４６…第２の係合部、    ５１，６３…第１のコンタクト、  ５１ａ，５２ａ，６３ａ…第１接触端部、  ５１ｂ，５２ｂ，６３ｂ…第２接触端部、  ５２…第２のコンタクト、  １０１…第１のカード、  １０２ａ，１１２ａ…先端部、  １０２ｂ，１１２ｂ…後端部、  １０６，１１６…電極部、  １１１…第２のカード、  ２０１…携帯電話端末（電子機器）、  ２０２…第１筐体（外装ケース）、  ２０３…第２筐体（外装ケース）、  ２２１…カード出し入れ口
【図１】
2009043496.tif 000003
【図２】
2009043496.tif 000004
【図３】
2009043496.tif 000005
【図４】
2009043496.tif 000006
【図５】
2009043496.tif 000007
【図６】
2009043496.tif 000008
【図７】
2009043496.tif 000009
【図８】
2009043496.tif 000010
【図９】
2009043496.tif 000011
【図１０】
2009043496.tif 000012
【図１１】
2009043496.tif 000013
【図１２】
2009043496.tif 000014
【図１３】
2009043496.tif 000015
【図１４】
2009043496.tif 000016